(57)【要約】【課題】画質の劣化の抑制と消費電力の低減とを両立させることが可能な液晶表示装置、及びその駆動装置並びに駆動方法を提供すること。【解決手段】４垂直期間を１表示周期とし、最初の垂直期間では表示画素の１行単位で極性を反転させる第１の駆動を実行し、次の垂直期間では第１の駆動に対して表示画素の極性を反転させる第２の駆動を実行し、さらに次の垂直期間では表示画素の１列単位で極性を反転させる第３の駆動を実行し、さらに次の垂直期間では第３の駆動に対して表示画素の極性を反転させる第４の駆動を実行する。【選択図】図７
2011227140.tif 000002
【特許請求の範囲】
【請求項１】
画素電極と対向電極との間に液晶が狭持されてなり２次元状に配置された表示画素を有する表示パネルと、
画像データに応じた表示信号電圧を前記画素電極に印加する信号側駆動部と、
所定の電位レベルを有する共通電圧を前記対向電極に印加する共通電圧印加部と、
を具備し、
前記信号側駆動部は、
前記表示画素の行単位で前記表示画素の前記液晶に印加される電圧の極性を反転させる第１の駆動と、
前記第１の駆動に対して前記表示画素の前記液晶に印加される電圧の極性を反転させる第２の駆動と、
前記表示画素の列単位で前記表示画素の前記液晶に印加される電圧の極性を反転させる第３の駆動と、
前記第３の駆動に対して前記表示画素の前記液晶に印加される電圧の極性を反転させる第４の駆動と、
を１垂直期間毎に切り替えて実行する、
ことを特徴とする液晶表示装置。
【請求項２】
前記信号側駆動部は、
前記第１の駆動及び前記第２の駆動において前記表示画素の１行単位で前記表示画素の前記液晶に印加される電圧の極性を反転させ、
前記第３の駆動及び第４の駆動において前記表示画素の１列単位で前記表示画素の前記液晶に印加される電圧の極性を反転させる、
ことを特徴とする請求項１に記載の液晶表示装置。
【請求項３】
前記信号側駆動部は、
前記第１の駆動と前記第２の駆動と前記第３の駆動と第４の駆動とを、４垂直期間を１表示周期として重複することなく、１垂直期間毎に切り替えて実行する、
ことを特徴とする請求項２に記載の液晶表示装置。
【請求項４】
前記信号側駆動部は、
前記第１の駆動及び前記第２の駆動を隣り合わせることなく、且つ、前記第３の駆動及び第４の駆動を隣り合わせることなく、１垂直期間毎に切り替えて実行する、
ことを特徴とする請求項３に記載の液晶表示装置。
【請求項５】
前記信号側駆動部は、
前記第１の駆動と前記第２の駆動と前記第３の駆動と第４の駆動とを、６以上の偶数の垂直期間を１表示周期として、
前記第１の駆動及び前記第２の駆動を隣り合わせることなく、且つ、前記第３の駆動及び第４の駆動を隣り合わせることなく、且つ、同一の駆動が隣り合わせることなく、
１垂直期間毎に切り替えて実行する、
ことを特徴とする請求項２に記載の液晶表示装置。
【請求項６】
画素電極と対向電極との間に液晶が狭持されてなり２次元状に配置された表示画素を有する表示パネルを駆動するための液晶表示装置の駆動装置であって、
画像データに応じた表示信号電圧を前記画素電極に印加する信号側駆動部と、
所定の電位レベルを有する共通電圧を前記対向電極に印加する共通電圧印加部と、
を具備し、
前記信号側駆動部は、
前記表示画素の行単位で前記表示画素の前記液晶に印加される電圧の極性を反転させる第１の駆動と、
前記第１の駆動に対して前記表示画素の前記液晶に印加される電圧の極性を反転させる第２の駆動と、
前記表示画素の列単位で前記表示画素の前記液晶に印加される電圧の極性を反転させる第３の駆動と、
前記第３の駆動に対して前記表示画素の前記液晶に印加される電圧の極性を反転させる第４の駆動と、
を１垂直期間毎に切り替えて実行する、
ことを特徴とする液晶表示装置の駆動装置。
【請求項７】
画素電極と対向電極との間に液晶が狭持されてなり２次元状に配置された表示画素を有する表示パネルを駆動するための液晶表示装置の駆動方法であって、
前記表示画素の行単位で前記表示画素の前記液晶に印加される電圧の極性を反転させる第１の駆動と、
前記第１の駆動に対して前記表示画素の前記液晶に印加される電圧の極性を反転させる第２の駆動と、
前記表示画素の列単位で前記表示画素の前記液晶に印加される電圧の極性を反転させる第３の駆動と、
前記第３の駆動に対して前記表示画素の前記液晶に印加される電圧の極性を反転させる第４の駆動と、
を１垂直期間毎に切り替えて実行する、
ことを特徴とする液晶表示装置の駆動方法。
【発明の詳細な説明】
【技術分野】
【０００１】
本発明は、液晶表示装置、及びその駆動装置並びに駆動方法に関する。
【背景技術】
【０００２】
一般に、液晶表示装置は、画素電極と対向電極との間に液晶が狭持されてなる表示画素が２次元状に配されて構成される表示パネルを有し、表示画素の画素電極と対向電極の各々に電圧を印加することによって表示を行う。液晶は、印加される電圧の大きさによって光透過率を変化させる特性を有しているため、対向電極に印加する電圧（共通電圧）の大きさを一定としておき、表示させるべき画像の階調レベル情報を示す画像データに応じた大きさの表示信号電圧を画素電極に印加することにより、所望の階調レベルでの画像表示を行うことが可能である。
【０００３】
ここで、液晶は、直流電圧を長時間印加すると特性が劣化することが知られている。したがって、液晶の長寿命化等のために、液晶に印加される電圧の極性を交流的に変化させる必要がある。この交流駆動の方式として、フレーム反転駆動、ライン反転駆動、カラム反転駆動、ドット反転駆動等が知られている。この中で、表示画素に印加する表示信号電圧の極性を表示画素単位で反転させるドット反転駆動（特許文献１）では、ライン反転駆動やカラム反転駆動を用いた場合よりも表示の際のフリッカを抑えることが可能である。
【先行技術文献】
【特許文献】
【０００４】
【特許文献１】特開２００８−２９２９２７号公報
【発明の概要】
【発明が解決しようとする課題】
【０００５】
ドット反転駆動では、フリッカを抑えて表示画質の劣化を低減できる反面、消費電力が大きくなり易い。
【０００６】
本発明は、上記の事情に鑑みてなされたもので、画質の劣化の抑制と消費電力の低減とを両立させることが可能な液晶表示装置、及びその駆動装置並びに駆動方法を提供することを目的とする。
【課題を解決するための手段】
【０００７】
上記の目的を達成するために、本発明の第１の態様の液晶表示装置は、画素電極と対向電極との間に液晶が狭持されてなり２次元状に配置された表示画素を有する表示パネルと、画像データに応じた表示信号電圧を前記画素電極に印加する信号側駆動部と、所定の電位レベルを有する共通電圧を前記対向電極に印加する共通電圧印加部と、を具備し、前記信号側駆動部は、前記表示画素の行単位で前記表示画素の前記液晶に印加される電圧の極性を反転させる第１の駆動と、前記第１の駆動に対して前記表示画素の前記液晶に印加される電圧の極性を反転させる第２の駆動と、前記表示画素の列単位で前記表示画素の前記液晶に印加される電圧の極性を反転させる第３の駆動と、前記第３の駆動に対して前記表示画素の前記液晶に印加される電圧の極性を反転させる第４の駆動と、を１垂直期間毎に切り替えて実行する、ことを特徴とする。
【０００８】
また、上記の目的を達成するために、本発明の第２の態様の液晶表示装置の駆動装置は、画素電極と対向電極との間に液晶が狭持されてなり２次元状に配置された表示画素を有する表示パネルを駆動するための液晶表示装置の駆動装置であって、画像データに応じた表示信号電圧を前記画素電極に印加する信号側駆動部と、所定の電位レベルを有する共通電圧を前記対向電極に印加する共通電圧印加部と、を具備し、前記信号側駆動部は、前記表示画素の行単位で前記表示画素の前記液晶に印加される電圧の極性を反転させる第１の駆動と、前記第１の駆動に対して前記表示画素の前記液晶に印加される電圧の極性を反転させる第２の駆動と、前記表示画素の列単位で前記表示画素の前記液晶に印加される電圧の極性を反転させる第３の駆動と、前記第３の駆動に対して前記表示画素の前記液晶に印加される電圧の極性を反転させる第４の駆動と、を１垂直期間毎に切り替えて実行する、ことを特徴とする。
【０００９】
また、上記の目的を達成するために、本発明の第３の態様の液晶表示装置の駆動方法は、画素電極と対向電極との間に液晶が狭持されてなり２次元状に配置された表示画素を有する表示パネルを駆動するための液晶表示装置の駆動方法であって、前記表示画素の行単位で前記表示画素の前記液晶に印加される電圧の極性を反転させる第１の駆動と、前記第１の駆動に対して前記表示画素の前記液晶に印加される電圧の極性を反転させる第２の駆動と、前記表示画素の列単位で前記表示画素の前記液晶に印加される電圧の極性を反転させる第３の駆動と、前記第３の駆動に対して前記表示画素の前記液晶に印加される電圧の極性を反転させる第４の駆動と、を１垂直期間毎に切り替えて実行する、ことを特徴とする。
【発明の効果】
【００１０】
本発明によれば、画質の劣化の抑制と消費電力の低減とを両立させることが可能な液晶表示装置、及びその駆動装置並びに駆動方法を提供することができる。
【図面の簡単な説明】
【００１１】
【図１】本発明の一実施形態に係る液晶表示装置を備えた電子機器の一例としての携帯電話機の外観を示す図である。
【図２】本発明の一実施形態に係る液晶表示装置の全体構成を示す図である。
【図３】信号ドライバの構成の一例を示す図である。
【図４】本発明の一実施形態に係る液晶表示装置の駆動方法を説明するための概念図である。
【図５】極性反転の順序を変更した例を示す第１の図である。
【図６】極性反転の順序を変更した例を示す第２の図である。
【図７】極性反転の順序を変更した例を示す第３の図である。
【図８】極性反転の順序を変更した例を示す第４の図である。
【図９】極性反転の順序を変更した例を示す第５の図である。
【図１０】ｋ行毎に反転させるライン反転駆動とｌ（エル）列毎に反転させるカラム反転駆動を組み合わせた変形例を説明するための概念図である。
【発明を実施するための形態】
【００１２】
以下、図面を参照して本発明の実施形態を説明する。  
図１は、本発明の一実施形態に係る液晶表示装置を備えた電子機器の一例としての携帯電話機の外観を示す図である。図１に示す携帯電話機１０は、マイクロフォン１１と、アンテナ１２と、スピーカ１３と、液晶表示装置１４と、操作部１５とを有している。
【００１３】
マイクロフォン１１は、携帯電話機１０の使用者によって入力される音声を電気信号に変換するものである。アンテナ１２は、携帯電話機１０が図示しない基地局と通信するためのアンテナである。スピーカ１３は、別の携帯電話機等から基地局を経由してアンテナ１２で受信された音声信号を音声に変換して出力するものである。液晶表示装置１４は、各種の画像を表示するものである。操作部１５は、携帯電話機１０の使用者が携帯電話機１０の操作を行うための操作部である。
【００１４】
図２は、本発明の一実施形態に係る液晶表示装置の全体構成を示す図である。図２に示すように、液晶表示装置１４は、液晶表示パネル１００と、走査ドライバ２００と、信号ドライバ３００と、電源調整回路４００と、を有している。
【００１５】
液晶表示パネル１００は、液晶表示装置１４の外部から供給される画像データＤに基づく画像を表示する表示部である。この液晶表示パネル１００は、表示画素側基板１０１と対向側基板１０２との間に液晶ＬＣが介在されて構成されている。さらに、液晶表示パネル１００の背面側（図面裏面側）にはバックライト１０４が設けられている。
【００１６】
液晶表示パネル１００の表示画素側基板１０１には、複数の走査線Ｇ（ｉ）（ｉ＝１、２、…、ｍ）と複数の信号線Ｓ（ｊ）（ｊ＝１、２、…、ｎ）とが交差するように延伸配設されている。そして、走査線Ｇ（ｉ）と信号線Ｓ（ｊ）との各交点に対応した位置には液晶表示素子を構成するための画素電極が配置されている。
【００１７】
画素電極は、対向側基板１０２の対向電極とともに液晶表示素子を構成している。そして、この画素電極は、例えばＩＴＯ（インジウム錫酸化物）等の透明導電膜で構成されており、薄膜トランジスタ（ＴＦＴ）を介して走査線Ｇ（ｉ）と信号線Ｓ（ｊ）とに接続されている。画素電極の総数及びＴＦＴの総数は（ｍ×ｎ）個である。
【００１８】
また、液晶表示パネル１００の対向側基板１０２は、表示画素側基板１０１と対向するように配置されている。この対向側基板１０２には対向電極が形成されている。対向電極は、電源調整回路４００によって所定の電位レベルを有する共通電圧Ｖｃｏｍが印加されている。
【００１９】
表示画素側基板１０１と対向側基板１０２とはシール材１０３によって接着され、またこのシール材１０３によって表示画素側基板１０１と対向側基板１０２との間から液晶ＬＣが漏れ出さないように封止されている。
【００２０】
このような構成において、表示画素側基板１０１に形成された画素電極と、表示画素側基板１０１と対向側基板１０２との間に狭持された液晶ＬＣと、対向側基板１０２に形成された対向電極とによって１つの表示画素Ｐｉｘが構成されている。ここで、表示画素Ｐｉｘは、走査線Ｇ（ｉ）と信号線Ｓ（ｊ）との各交点に対応した位置に配置され、その総数は（ｍ×ｎ）個である。しかしながら、図２においては、１個の表示画素Ｐｉｘのみを図示している。
【００２１】
走査ドライバ２００は、シフトレジスタ等を備えて構成され、液晶表示パネル１００の走査線Ｇ（ｉ）に走査信号を順次印加する。この走査ドライバ２００は、図示しない制御回路から制御信号としての垂直同期信号Ｖｓが入力される毎に、ｍ本の走査線への走査信号の印加を開始する。この際、走査ドライバ２００は、制御回路から制御信号としての水平制御信号Ｈｓを受ける毎に、１行分のＴＦＴをオンするための走査信号をゲートオフレベルＶｇｌからゲートオンレベルＶｇｈに切り替える。これにより、この１行分のＴＦＴに接続された信号線Ｓ（ｊ）を介して信号ドライバ３００からの表示信号電圧が画素電極に書き込まれる。ここで、垂直制御信号Ｖｓは、液晶表示パネル１００の１画面分の表示を行うための期間である１垂直期間（１フレーム）毎に印加されるものである。また、水平制御信号Ｈｓは、液晶表示パネル１００に１行分（１本の走査線分）の表示信号電圧（階調信号）を書き込むための期間である１水平期間毎に印加されるものである。
【００２２】
信号側駆動部としての機能を有する信号ドライバ３００は、液晶表示パネル１００の信号線Ｓ（ｊ）に表示信号電圧を印加する。この信号ドライバ３００は、図３に示すように、サンプリングメモリ１３０１、データラッチ部１３０２、Ｄ／Ａ変換回路（ＤＡＣ）１３０３、及び表示信号電圧生成回路１３０４を有している。
【００２３】
サンプリングメモリ１３０１は、図示しない制御回路からの水平同期信号Ｈｓを受けて、１水平期間分に相当するｎ個の表示画素Ｐｉｘに対応した画像データＤを、基準クロック信号ＣＬＫに同期して１表示画素分ずつ順次記憶する。このため、サンプリングメモリ１３０１は、信号線Ｓ（ｊ）の数と同数（ｎ個）のデータ格納領域を備えている。ここで、画像データＤは、例えば８ビットのデジタルデータとして表される。
【００２４】
データラッチ部１３０２は、図示しない制御回路から水平同期信号Ｈｓを受けてサンプリングメモリ１３０１の各格納領域に記憶されている１水平期間分の画像データＤを一斉に取り込み、取り込んだ画像データＤをＤ／Ａ変換回路１３０３に出力する。
【００２５】
Ｄ／Ａ変換回路１３０３は、データラッチ部１３０２から出力された画像データＤをデコードし、デコードした結果として示される階調レベル情報に対応した表示信号電圧を表示信号電圧生成回路１３０４から供給される表示信号電圧の中から選択し、選択した表示信号電圧を、対応する信号線Ｓ（ｊ）に出力する。このＤ／Ａ変換回路１３０３は、複数のＤＡＣ部１３０３ａ及び出力アンプ部１３０３ｂを有している。ＤＡＣ部１３０３ａは、画像データＤのデコード結果に応じて、表示信号電圧生成回路１３０４から供給される表示信号電圧を選択する。出力アンプ部１３０３ｂは、対応するＤＡＣ部１３０３ａによって選択された表示信号電圧を増幅して対応する信号線Ｓ（ｊ）に出力する。信号線Ｓ（ｊ）に出力された表示信号電圧は、走査ドライバ２００によってオン状態とされたＴＦＴを介して画素電極に印加される。これにより、表示信号電圧Ｖｓの印加によって画素電極に発生する画素電極電圧Ｖｐｉｘと共通電極に印加された共通電圧Ｖｃｏｍとの差の電圧が、画素電極と共通電極との間に狭持された液晶層ＬＣに印加され、対応する表示画素Ｐｉｘでの画像表示が行われる。
【００２６】
表示信号電圧生成回路１３０４は、画像データＤが取り得る階調レベル数（例えばＤが８ビットのデジタルデータとして表される場合には２５６）に対応した表示信号電圧を、例えば、所定の正電源電圧ＶＤＤＡ、負電源電圧ＶＳＳＡ（ＶＤＤＡ＞Ｖｃｏｍ＞ＶＳＳＡ）をそれぞれ階調レベル数に対応した複数の抵抗によって分割する抵抗分割方式によって生成する。
【００２７】
ここで、液晶は、直流電圧を長時間印加すると特性が劣化する性質を有している。したがって、液晶の長寿命化等のためには、液晶に印加される電圧の極性（画素電極電圧と共通電圧との大小関係）を交流的に変化させる必要がある。このために、本実施形態における表示信号電圧生成回路１３０４は、電圧レベルが共通電圧Ｖｃｏｍよりも高い正極側の表示信号電圧Ｖ＋と電圧レベルが共通電圧Ｖｃｏｍよりも低い負極側の表示信号電圧Ｖ−との２種の表示信号電圧を生成可能になされている。表示信号電圧Ｖ＋と表示信号電圧Ｖ−とは、それぞれが、画像データＤが取り得る階調レベル数（例えばＤが８ビットのデジタルデータとして表される場合には２５６）に対応した電圧レベルを有している。このような構成において、表示信号電圧生成回路１３０４は、図示しない制御回路からの極性反転制御信号Ｐｏｌ１、Ｐｏｌ２に応じて正極側の表示信号電圧Ｖ＋と負極側の表示信号電圧Ｖ−との何れかを選択してＤ／Ａ変換回路１３０３に供給する。
【００２８】
図２において共通電圧印加部としての機能を有する電源調整回路４００は、所定の電源から、走査ドライバ２００の電源電圧Ｖｇｌ、Ｖｇｈと、信号ドライバ３００の電源電圧ＶＳＳＡ、ＶＤＤＡと、共通電圧Ｖｃｏｍとを生成し、生成した電圧を対応するブロックに供給する。
【００２９】
以下、本実施形態における液晶表示装置の動作について説明する。  
走査ドライバ２００は、図示しない制御回路から垂直制御信号Ｖｓが入力されることにより、液晶表示パネル１００の１画面分の表示の開始である１垂直期間の開始を認識する。その後、走査ドライバ２００は、図示しない制御回路から水平制御信号Ｈｓが入力される毎に各水平期間の開始を認識する。そして、走査ドライバ２００は、走査線Ｇ（１）から、順次、走査信号の電位レベルをゲートオフレベルＶｇｌからゲートオンレベルＶｇｈに切り替える。走査信号の電位レベルがゲートオンレベルＶｇｈになると、対応する走査線Ｇ（ｊ）に接続された１行分のＴＦＴが全て選択状態となる。
【００３０】
また、信号ドライバ３００は、図示しない制御回路から垂直制御信号Ｖｓが入力されることにより、液晶表示パネル１００の１画面分の表示の開始である１垂直期間の開始を認識する。その後、信号ドライバ３００は、図示しない制御回路から水平制御信号Ｈｓが入力される毎に各水平期間の開始を認識する。そして、信号ドライバ３００は、１行分の表示画素に対応した画像データＤを取り込み、取り込んだ画像データＤをデコードする。そして、画像データＤによって示される、１行分の表示画素の各々に表示させるべき画像の階調レベルに対応した表示信号を信号線Ｓ（１）からＳ（ｎ）に印加する。
【００３１】
このような信号ドライバ３００の動作と同期するように、走査ドライバ２００によって１行分のＴＦＴが選択状態とされている。したがって、信号ドライバ３００によって印加された表示信号が、選択状態となった１行分のＴＦＴを介して表示画素Ｐｉｘを構成する画素電極に印加される。ここで、画素電極と対向するように対向側基板１０２に形成された対向電極には電源調整回路４００によって所定の電位レベルを有する共通電圧が印加されている。このため、画素電極と対向電極とによって狭持された液晶には表示信号に基づく画素電極電圧と共通電圧との差に対応した電圧が印加される。液晶は、印加電圧の大きさによって光の透過特性が変化するため、液晶表示パネル１００の裏面に設けられたバックライト１０４からの光を液晶表示パネル１００の各表示画素に照射しつつ、液晶の透過率を制御することで、表示画素において所望の階調レベル（輝度）の表示を行うことが可能である。
【００３２】
図４〜図１０は、本実施形態における液晶表示装置の駆動方法を説明するための概念図である。本実施形態においては、ライン反転駆動とカラム反転駆動とを組み合わせて表示を行う。ライン反転駆動とは、液晶表示パネル１００を構成する表示画素の行単位で極性を反転させる駆動方式である。また、カラム反転駆動とは、液晶表示パネル１００を構成する表示画素の列単位で極性を反転させる駆動方式である。
【００３３】
[実施例１]  
本実施形態の実施例１においては、４垂直期間を１表示周期として画像表示を行う。そして、信号ドライバ３００は、１表示周期内でライン反転駆動とカラム反転駆動とを組み合わせて実行するように表示信号電圧の印加を行う。図４に示すように、信号ドライバ３００は、奇数行の表示画素の極性を正極性（表示信号電圧＞共通電圧）とするとともに偶数行の表示画素の極性を負極性（表示信号電圧＜共通電圧）とする第１の駆動（図４のＡ）と、奇数行の表示画素の極性を負極性とするとともに偶数行の表示画素の極性を正極性とする（即ち第１の駆動に対して全表示画素の極性を反転させる）第２の駆動（図４のＢ）と、奇数列の表示画素の極性を正極性とするとともに偶数列の表示画素の極性を負極性とする第３の駆動（図４のＣ）と、奇数列の表示画素の極性を負極性とするとともに偶数列の表示画素の極性を正極性とする（即ち第３の駆動に対して全表示画素の極性を反転させる）第４の駆動（図４のＤ）と、を１表示周期内で１回ずつ行う。このような駆動の切り替えは、極性反転制御信号Ｐｏｌ１、Ｐｏｌ２に応じて行う。本実施形態では、例として、極性反転制御信号Ｐｏｌ１によってライン反転駆動とカラム反転駆動の切り替えを行う。また、極性反転制御信号Ｐｏｌ２によって極性の反転を行う。なお、本実施形態では例として、極性反転制御信号Ｐｏｌ１がハイレベル（Ｈ）の場合にライン反転駆動を行い、ローレベル（Ｌ）の場合にカラム反転駆動を行うものとする。また、極性反転制御信号Ｐｏｌ２がハイレベル（Ｈ）の場合に奇数行（ライン反転駆動の場合）又は奇数列（カラム反転駆動の場合）の表示画素の極性を正極性とし、ローレベル（Ｌ）の場合に偶数行（ライン反転駆動の場合）又は偶数列（カラム反転駆動の場合）の表示画素の極性を正極性とする駆動を行うものとする。
【００３４】
図４の例において、１表示周期内の最初の垂直期間の開始時にＰｏｌ１、Ｐｏｌ２がともにＨとされる。これにより、信号ドライバ３００は、奇数行の表示画素を正極性、偶数行の表示画素を負極性とするライン反転駆動（第１の駆動）を行う。このために、信号ドライバ３００は、奇数番目の水平期間中においては信号線Ｓ（ｊ）に印加する表示信号電圧の極性を正極性（表示信号電圧＞共通電圧）とするように電圧Ｖ＋を選択し、偶数番目の水平期間中においては信号線Ｓ（ｊ）に印加する表示信号電圧の極性を負極性（表示信号電圧＜共通電圧）とするように電圧Ｖ−を選択する。
【００３５】
次の垂直期間の開始時に、Ｐｏｌ１がＨ、Ｐｏｌ２がＬとされる。これにより、信号ドライバ３００は、奇数行の表示画素を負極性、偶数行の表示画素を正極性とするライン反転駆動（第２の駆動）を行う。このために、信号ドライバ３００は、奇数番目の水平期間中においては信号線Ｓ（ｊ）に印加する表示信号電圧の極性を負極性とするように電圧Ｖ−を選択し、偶数番目の水平期間中においては信号線Ｓ（ｊ）に印加する表示信号電圧の極性を正極性とするように電圧Ｖ＋を選択する。
【００３６】
さらに次の垂直期間の開始時に、Ｐｏｌ１がＬ、Ｐｏｌ２がＬとされる。これにより、信号ドライバ３００は、奇数列の表示画素を負極性、偶数列の表示画素を正極性とするカラム反転駆動（第４の駆動）を行う。このために、信号ドライバ３００は、奇数列目の信号線Ｓ（ｊ）については表示信号電圧の極性を負極性とするように電圧Ｖ−を選択し、偶数列目の信号線Ｓ（ｊ）については表示信号電圧の極性を正極性とするように電圧Ｖ＋を選択する。
【００３７】
さらに次の垂直期間の開始時に、Ｐｏｌ１がＬ、Ｐｏｌ２がＨとされる。これにより、信号ドライバ３００は、奇数列の表示画素を正極性、偶数列の表示画素を負極性とするカラム反転駆動（第３の駆動）を行う。このために、信号ドライバ３００は、奇数列目の信号線Ｓ（ｊ）については表示信号電圧の極性を正極性とするように電圧Ｖ＋を選択し、偶数列目の信号線Ｓ（ｊ）については表示信号電圧の極性を負極性とするように電圧Ｖ−を選択する。
【００３８】
以上のようにして、１表示周期が終了する。これ以後も同様に４垂直期間を１表示周期とし、各垂直期間で異なる極性反転駆動を行う。
【００３９】
以上説明したように、本実施形態においては、４垂直期間を１表示周期とし、この１表示周期内でライン反転駆動とカラム反転駆動の両方を行うようにしている。この場合、４垂直期間の平均として見ると、各表示画素の極性が、１表示画素毎に略交互に反転していると考えることが可能である。このため、ライン反転駆動やカラム反転駆動を単独で行うよりもフリッカの影響を抑制することが可能である。また、カラム反転駆動時においては、１本の信号線内で極性の反転を行う必要がない。このため、各信号線に印加する表示信号電圧の周波数を低減させて消費電力の増大を抑制することが可能である。このようにして、本実施形態では、１ドット反転駆動と略同等の画質での画像表示を可能としつつ、消費電力も低減させることが可能である。
【００４０】
ここで、図４の例では、第１の駆動、第２の駆動、第４の駆動、第３の駆動の順で極性反転を行っている。実際には、第１の駆動、第２の駆動、第３の駆動、第４の駆動が４垂直期間の間に１回ずつ行われるのであれば、その順番は限定されるものではない。このような場合の数は６通りである。  
ここで、図５の例では、第１の駆動、第２の駆動、第３の駆動、第４の駆動の順で極性反転を行っている。  
ここで、図６の例では、第１の駆動、第３の駆動、第４の駆動、第２の駆動の順で極性反転を行っている。  
ここで、図７の例では、第１の駆動、第３の駆動、第２の駆動、第４の駆動の順で極性反転を行っている。  
ここで、図８の例では、第１の駆動、第４の駆動、第２の駆動、第３の駆動の順で極性反転を行っている。  
ここで、図９の例では、第１の駆動、第４の駆動、第３の駆動、第２の駆動の順で極性反転を行っている。  
図７、図８の場合にはライン反転駆動とカラム反転駆動が交互に行われる。一方、図４、図５、図６、図９の場合には極性が異なるライン反転駆動及び極性が異なるカラム反転駆動が連続する。  
フリッカの影響を抑制する観点から、ライン反転駆動とカラム反転駆動が交互に行われる図７、図８の場合の方がより望ましい。
【００４１】
[実施例２]  
本実施形態の実施例２においては、５以上の垂直期間を１表示周期として画像表示を行う。例えば、５垂直期間を１表示周期として画像表示を行う場合の１例としては、第１の駆動、第２の駆動、第３の駆動、第４の駆動、第３の駆動の順で極性反転を行うことが考えられる。同一の駆動を連続させないことが、フリッカの影響を抑制する観点から必要である。  
ライン反転駆動とカラム反転駆動を交互に行うためには、６以上の偶数からなる垂直期間を１表示周期として画像表示を行う必要がある。５以上の奇数からなる垂直期間を１表示周期として画像表示を行うと、極性が異なるライン反転駆動又は極性が異なるカラム反転駆動が必ず連続する。  
例えば、６垂直期間を１表示周期としてライン反転駆動とカラム反転駆動を交互に行う画像表示を行う場合の１例としては、第１の駆動、第３の駆動、第２の駆動、第３の駆動、第２の駆動、第４の駆動、の順で極性反転を行うことが考えられる。
【００４２】
[実施例３]  
また、図４の例では、表示画素の極性を１行毎に反転させる１ライン反転駆動と、表示画素の極性を１列毎に反転させる１カラム反転駆動とを組み合わせている。これに対し、本実施形態の実施例３においては、４垂直期間を１表示周期として画像表示を行うが、図１０で示すような、表示画素の極性を２以上のｋ行毎に反転させるライン反転駆動と、表示画素の極性を２以上のｌ（エル）列毎に反転させるカラム反転駆動とを組み合わせた場合にも適用可能である。このような駆動により、（ｋ×ｌ（エル））画素のドット反転駆動と略同等の画質での画像表示を可能としつつ、消費電力も低減させることが可能である。
【００４３】
[実施例４]  
本実施形態の実施例２においては、５以上の垂直期間を１表示周期として画像表示を行い、表示画素の極性を２以上のｋ行毎に反転させるライン反転駆動と、表示画素の極性を２以上のｌ（エル）列毎に反転させるカラム反転駆動とを組み合わせた場合にも適用可能である。
【００４４】
以上実施形態に基づいて本発明を説明したが、本発明は上述した実施形態に限定されるものではなく、本発明の要旨の範囲内で種々の変形や応用が可能なことは勿論である。
【００４５】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００４６】
１０…携帯電話機、１１…マイクロフォン、１２…アンテナ、１３…スピーカ、１４…液晶表示装置、１５…操作部、１００…液晶表示パネル、１０１…表示画素側基板、１０２…対向側基板、１０３…シール材、１０４…バックライト、２００…走査ドライバ、３００…信号ドライバ、４００…電源調整回路
【図１】
2011227140.tif 000003
【図２】
2011227140.tif 000004
【図３】
2011227140.tif 000005
【図４】
2011227140.tif 000006
【図５】
2011227140.tif 000007
【図６】
2011227140.tif 000008
【図７】
2011227140.tif 000009
【図８】
2011227140.tif 000010
【図９】
2011227140.tif 000011
【図１０】
2011227140.tif 000012